(57)【要約】【課題】電子機器から出力された電子機器情報を表示させたままの状態で、電子機器から容易に取り外して持ち運ぶことができる情報表示媒体を提供すること。【解決手段】電子機器２から出力される電子機器２に関連する電子機器情報を受信するための受信手段１６と、受信手段１６にて受信した電子機器情報を記憶する記憶手段２３と、所定の情報を表示可能な表示部４と、記憶手段２３に記憶された電子機器情報を表示部４に表示させる制御を行う表示制御手段２４と、を備え、電子機器の本体２に対して取り外し自在に設けられている。【選択図】図４
2010026071.tif 000002
【特許請求の範囲】
【請求項１】
電気機器から出力される該電気機器に関連する電気機器情報を受信するための受信手段と、
前記受信手段にて受信した前記電気機器情報を記憶する記憶手段と、
所定の情報を表示可能な表示部と、
前記記憶手段に記憶された前記電気機器情報を前記表示部に表示させる制御を行う表示制御手段と、
を備え、
前記電気機器の本体に対して取り外し自在に設けられていることを特徴とする情報表示媒体。
【請求項２】
前記表示部を構成するとともに、表示内容を電子的に書き換え可能な電子ペーパーを備えることを特徴とする請求項１に記載の情報表示媒体。
【請求項３】
前記電気機器関連情報は、前記電気機器の本体のエラー情報であることを特徴とする請求項１または２に記載の情報表示媒体。
【請求項４】
前記情報表示媒体は、前記表示部が使用者から視認可能となるように前記電気機器の本体に設けられることを特徴とする請求項１ないし３のいずれかに記載の情報表示媒体。
【発明の詳細な説明】
【技術分野】
【０００１】
本発明は、電気機器から出力される情報を表示可能な情報表示媒体に関する。
【背景技術】
【０００２】
従来、電気機器の動作と、電気機器でエラーが発生するまでの動作継続時間と、エラー発生時のエラーコードと、を記憶手段に動作履歴として記憶しておき、サービスマン等がこの動作履歴を指定することで、電気機器の動作が動作継続時間に従って実行され、エラーが発生するまでの電気機器の動作を忠実に再現し、エラー発生原因の解析を行う記録再生装置がある（例えば、特許文献１参照）。
【０００３】
【特許文献１】特開平９−１３４２１４号公報（第３頁、第４図）
【発明の開示】
【発明が解決しようとする課題】
【０００４】
上記特許文献１に記載の記録再生装置のような電気機器でエラーが発生した場合、使用者が電気機器の製造元のサポートセンター窓口に電話して、エラーの症状を口頭で説明して修理が必要か否かを問い合わせた後、修理が必要と判断されたら電気機器を業者に直接持ち込むか、あるいは搬送するのが一般的である。
【０００５】
しかし、使用者にとっては、エラーの症状を口頭で上手く説明できないばかりか、電気機器にエラーコード等が表示された場合において、その時点で電話ができない状況であるときには、このエラーコードを紙等に書き写すか、あるいは電気機器を直接業者に持ち込んでエラー症状を業者に伝達する必要があるが、メモを取るのは手間がかかり、また、重量のある据え置き型の電気機器の場合は、移動や搬送が極めて困難であるという問題があった。
【０００６】
本発明は、このような問題点に着目してなされたもので、電気機器から出力された電気機器情報を表示させたまま、電気機器から容易に取り外して持ち運ぶことができる情報表示媒体を提供することを目的とする。
【課題を解決するための手段】
【０００７】
前記課題を解決するために、本発明の請求項１に記載の情報表示媒体は、
電気機器（ナビゲータ本体２，電子レンジ２６）から出力される該電気機器に関連する電気機器情報（エラー情報等）を受信（入力）するための受信手段（コネクタ７，３２）と、
前記受信手段にて受信した前記電気機器情報を記憶する記憶手段（ボード記憶部２３）と、
所定の情報を表示可能な表示部（８，３１）と、
前記記憶手段に記憶された前記電気機器情報を前記表示部に表示させる制御を行う表示制御手段（ボード制御部２４）と、
を備え、
前記電気機器の本体（ナビゲータ本体２に形成されたスロット６、電子レンジ２６に形成されたスロット２７）に対して取り外し自在に設けられていることを特徴としている。
この特徴によれば、電気機器から出力された電気機器情報を表示部に表示させた後、情報記録媒体を電気機器の本体から取り外すことができるので、重量がある電気機器の本体を持ち出さなくても、表示された電気機器情報を容易に持ち出して確認することができることを特徴としている。
【０００８】
本発明の請求項２に記載の情報表示媒体は、請求項１に記載の情報表示媒体であって、
前記表示部（８）を構成するとともに、表示内容を電子的に書き換え可能な電子ペーパー（９）を備えることを特徴としている。
この特徴によれば、表示部が表示情報を保持するための電力を必要としない電子ペーパーから構成されていることで、情報表示媒体にバッテリ等を搭載することなく、電気機器の本体から取り外した後も表示部に表示された内容を維持することができるとともに、少ない電力供給で表示情報を何度でも書き換えることができるため、複数回にわたり使用できる。
【０００９】
本発明の請求項３に記載の情報表示媒体は、請求項１または２に記載の情報表示媒体であって、
前記電気機器関連情報（エラー情報等）は、前記電気機器の本体（ナビゲータ本体２）のエラー情報であることを特徴としている。
この特徴によれば、例えば電気機器の本体が故障した場合等において、出力されたエラー情報を紙等に書き写したりすることなく、表示されたエラー情報に基づいてエラー状況を正確に伝達することができるとともに、電気機器の本体を持ち出さなくても、表示されたエラー情報だけを持ち出すことができるため、修理依頼等が容易になる。
【００１０】
本発明の請求項４に記載の情報表示媒体は、請求項１ないし３のいずれかに記載の情報表示媒体であって、
前記情報表示媒体（メモリボード１）は、前記表示部（３１）が使用者から視認可能となるように前記電気機器（電子レンジ２６）の本体（スロット２７）に設けられることを特徴としている。
この特徴によれば、表示部を電気機器の本体に必要な表示部として利用することができる。
【発明を実施するための最良の形態】
【００１１】
本発明に係る情報表示媒体を実施するための最良の形態を実施例に基づいて以下に説明する。
【実施例１】
【００１２】
本発明の実施例を図面に基づいて説明すると、先ず図１は、本発明の実施例１におけるメモリボードを備えたカーナビゲータ本体の全体像を示す斜視図であり、図２は、メモリボードを示す正面図であり、図３は、図２におけるＡ−Ａ断面図であり、図４は、カーナビゲータ本体及びメモリボードの構成を示すブロック図であり、図５は、表示画面にエラーの発生が表示された状態を示すカーナビゲータ本体の正面図であり、図６は、変形例としての表示画面を示すカーナビゲータ本体の正面図である。以下、図２の紙面手前側をメモリボードの正面側として説明する。
【００１３】
図１の符号１は、本発明における情報表示媒体としてのメモリボード１である。このメモリボード１は、本発明における電気機器の本体としてのナビゲータ本体２に対して電気的に接続可能となっている。メモリボード１がナビゲータ本体２に接続された状態にて、ナビゲータ本体２でエラーが発生すると、この発生したエラーに基づく本発明における電気機器情報の一例であるエラー情報が出力され、メモリボード１の正面に設けられた後述する表示部８に表示されるようになっているものである。
【００１４】
ナビゲータ本体２は、図１に示すように、自動車の運転時に、運転手に対して現在位置の表示や、目的地までの走行経路案内等を行うカーナビゲーションシステムの一部であり、主に自動車のダッシュボード中央に取り付けられている。ナビゲータ本体２の正面には、現在位置や、目的地までの走行経路を表示するための、ＴＦＴ液晶等の液晶表示器３によって構成された表示画面４が設けられており、この表示画面４の下方には、運転手や助手席の同乗者が操作することで、ナビゲータ本体２で使用可能な機能の操作を行うためのスイッチ５が複数設けられている。
【００１５】
また、ナビゲータ本体２の側面には、ナビゲータ本体２内に向かって略直方体形状に凹設された、メモリボード１を差し込むためのスロット６が形成されている。スロット６内部には、ナビゲータ本体２とメモリボード１とを接続するためのコネクタ７（図４参照）が設けられている。このスロット６の開口前後端縁部には、曲面状の凹部６ａ，６ａが形成されており、運転手や助手席の同乗者が、この凹部６ａ，６ａからナビゲータ本体２に差し込まれたメモリボード１を摘まむことで、メモリボード１を容易に抜き差し可能となっている。
【００１６】
尚、このスロット６は、運転手がメモリボード１を抜き差しし易いように、運転席側に面しているナビゲータ本体２の側面に形成されていてもよく、同乗者がメモリボード１を抜き差しし易いように、助手席側に面しているナビゲータ本体２の側面に形成されていてもよい。
【００１７】
メモリボード１は、図１に示すように、スロット６に差し込み可能な略直方体形状に形成されている。また、図２に示すように、メモリボード１のスロット６に差し込まれる側の端部には、スロット６内部に設けられたコネクタ７（図４参照）と接続されるコネクタ１６が設けられており、これらコネクタ７，１６が接続されることで、ナビゲータ本体２とメモリボード１とが電気的に接続される。つまり、コネクタ１６は、ナビゲータ本体２から出力されたエラー情報をメモリボード１に受信するための本発明における受信手段を構成している。
【００１８】
図２に示すように、メモリボード１の正面には、エラー情報等の表示が可能であり、表示内容を電子的に書き換え可能な電子ペーパー９によって構成された表示部８が設けられている。この表示部８に表示されるエラー情報とは、具体的には、ナビゲータ本体２でエラーが発生した日時と、ナビゲータ本体２を含むカーナビゲーションシステムを製造したメーカーのサポートセンター窓口の電話番号と、ナビゲータ本体２で発生したエラーの症状を表すエラーコードと、ナビゲータ本体２毎に個別に付与されたシリアル番号と、ナビゲータ本体２の型式を表すモデル番号と、ナビゲータ本体２が故障した際に無償で修理を受けることができる期限を表す保証期限と、である。
【００１９】
図３に示すように、メモリボード１は、樹脂材により構成されたメモリボード本体１ａを有しており、このメモリボード本体１ａには正面から収容部１ｂが凹設されている。この収容部１ｂには、後述するボード制御部２４（図４参照）が配置されている基板１５と、電子ペーパー９と、電子ペーパー９が構成する表示部８を保護するための保護パネル１０と、が積層されて収容されている。
【００２０】
この電子ペーパー９は、液晶モニタと異なりバックライト等を用いないため、液晶モニタ等の他の表示画面を有する電気機器と比較して消費電力が少なくて済むようになっている。更に、電子ペーパー９は、表示部８の書き換え時のみに電力を使用し、電力が供給されない状態であっても表示部８の表示内容を維持できるようになっている。
【００２１】
本実施例における電子ペーパー９の表示方式は、マイクロカプセル電気泳動方式を採用している。具体的には、電子ペーパー９は、カバーフィルム１１の正面に形成された磁気泳動記憶層１２と、磁気泳動記憶層１２を覆う透光性を有する保護層１３と、から構成されている。このうち、カバーフィルム１１の正面側及び保護層１３の背面側には、図示しない透明電極が配置されている。また、磁気泳動記憶層１２には、無数の透明なマイクロカプセル１４が封じ込められており、このマイクロカプセル１４の中には、帯電された白と黒の粒子が内包されている。そして、磁気泳動記憶層１２内に透明電極によって所定の電圧をかけることでマイクロカプセル１４内の粒子を移動させることで、表示部８の書き換えを行うようになっている。尚、保護パネル１０は、無色透明な樹脂材によって収容部１ｂと略同形に構成されており、表示部８を外部からの衝撃等から保護するようになっている。
【００２２】
次に、ナビゲータ本体２及びメモリボード１の構成を、図４に基づいて説明する。ナビゲータ本体２は、コネクタ７と、カーナビゲーションシステム全体の制御を行うナビゲーション制御部１７と、カーナビゲーションシステムの制御プログラム、地図情報、ナビゲータ本体２のシリアル番号及びモデル番号や保証期限等を含む製品情報が記憶されているナビゲーション記憶部１８と、前記コネクタ７、前記ナビゲーション制御部１７及び前記ナビゲーション記憶部１８が配置される基板１９と、液晶表示器３と、液晶表示器３の画面上に配置され、運転手または同乗者が押圧することでナビゲータ本体２の操作を行うタッチパネル２０と、複数の操作スイッチ５と、複数の人工衛星から電波を受信する３次元測位によって車両の現在位置を特定するＧＰＳ（全地球測位システム）の受信機であるＧＰＳ受信機２１と、ＧＰＳによる３次元測位が不可能な場所での車両の現在位置を車両の角速度を検出することで特定するジャイロユニット２２と、で構成されている。
【００２３】
また、特に図示しないが、ナビゲータ本体２は車両に接続されており、車両の車速パルスを検知可能となっている。このため、ナビゲータ本体２は、これらＧＰＳ受信機２１と、ジャイロユニット２２と、車両の車速パルスと、によって液晶表示器３に現在の車両位置を正確に表示可能となっている。更に、ナビゲータ本体２は、特に図示しないが、車両に積載されているバッテリから電力を供給されており、この電力はコネクタ７，１６によって接続されるメモリボード１にも供給される。
【００２４】
一方、メモリボード１の内部の基板１５には、図４に示すように、コネクタ１６と、コネクタ１６にて入力されたエラー情報を記憶する本発明における記憶手段としてのボード記憶部２３と、ボード記憶部２３に記憶されたエラー情報を電子ペーパー９に表示させる制御を行う本発明における表示制御手段としてのボード制御部２４と、が配置されている。
【００２５】
次に、本実施例におけるナビゲータ本体２のナビゲーション制御部１７及びメモリボード１のボード制御部２４が行う制御内容について説明する。先ず、スロット６にメモリボード１が差し込まれている状態において、カーナビゲーションシステム使用中に、ナビゲーション記憶部１８に記憶されているデータの不一致や、カーナビゲーションシステム内の各電子機器の不具合等によりエラーが発生した場合、ナビゲーション制御部１７は、このエラーの発生時刻とこのエラーに該当するエラーコードとをナビゲーション記憶部１８に記憶させる。
【００２６】
そして、ナビゲーション制御部１７は、液晶表示器３にカーナビゲーションシステム内でエラーが発生した旨を示すエラー画面（図５参照）を表示させてエラー報知を行う。このエラー画面には、サポートセンター窓口の電話番号と、エラーコードと、該液晶表示器３に表示されているエラー情報をメモリボード１に出力するか否かの選択を促すメッセージ及び選択ボタン（「はい」と「いいえ」）と、が表示される。
【００２７】
ここで、運転手または同乗者による「はい」の選択ボタン操作がタッチパネル２０により検出された場合、ナビゲーション制御部１７は、ナビゲーション記憶部１８に記憶されているエラーが発生した日時と、サポートセンター窓口の電話番号と、エラーコードと、シリアル番号と、モデル番号と、保証期限と、からなるエラー情報を、コネクタ７からメモリボード１に対して出力する。
【００２８】
メモリボード１にて、コネクタ７から出力されたエラー情報がコネクタ１６から入力されると、ボード制御部２４は、入力されたエラー情報をボード記憶部２３に記憶させるとともに、ナビゲータ本体２から供給される電力によって電子ペーパー９に電圧を印加することで、図２に示すように、ボード記憶部２３に記憶されたエラー情報を表示部８に表示させる。
【００２９】
このように、エラー情報が表示部８に表示されたメモリボード１は、ナビゲータ本体２のスロット６から引き抜くことで、ナビゲータ本体２からの電力の供給が途絶えても、表示されたエラー情報が維持される。つまり表示されたエラー情報がメモとして残るので、運転手または同乗者は、ナビゲータ本体２のスロット６からメモリボード１を引き抜いて離脱させることで、エラー情報のみを持ち運びすることができる。
【００３０】
よって、このようなエラー画面が表示されたときに即座に電話などができない状況である場合、エラー情報を覚えたりメモ帳等に書き写したりしなくても、表示部８にエラー情報が表示されたメモリボード１を持ち出すだけで、例えば車外等からでも、表示部８に表示されたエラー情報を見ながらサポートセンター等に連絡することが可能となる。
【００３１】
尚、本実施例では、前記エラー画面が表示されているときに「いいえ」が選択された場合及びエラー情報のメモリボード１への出力が完了した場合、ナビゲーション制御部１７は、ナビゲーション記憶部１８に記憶されている制御プログラムを再起動させることでカーナビゲーションシステム内のエラーを解消し、目的地までの走行経路案内等を再開するようにしてもよい。
【００３２】
また、メモリボード１の表示部８に表示させる電気機器情報は、電気機器に関わる情報であれば、エラー情報のみに限られるものではなく、例えば、図６に示すように、ナビゲータ本体２のスイッチ５やタッチパネル２０を操作することで、現在位置の周辺の飲食店等を検索し、検索結果として得られた飲食店情報（例えば飲食店の店名、住所、電話番号、営業時間等）等であってもよく、このようにすることで、このような飲食店情報をメモ帳等に書き写すことなく持ち運ぶことができる。
【００３３】
さらに、電気機器情報は、電気機器の製造や使用履歴情報、保証情報、操作説明情報等、電気機器に関わる種々の情報等を含む。
【００３４】
以上、本実施例１におけるメモリボード１にあっては、ナビゲータ本体２に対して取り外し自在に設けられているので、ナビゲータ本体２から出力されたエラー情報を表示部８に表示させた後、メモリボード１をナビゲータ本体２から取り外すことができるので、重量があるナビゲータ本体２を持ち出さなくても、表示されたエラー情報を容易に持ち出して確認することができる。
【００３５】
また、表示部８がエラー情報を保持するための電力を必要としない電子ペーパー９から構成されていることで、メモリボード１にバッテリ等を搭載することなく、ナビゲータ本体２から取り外した後も表示部８に表示されたエラー情報を維持することができるとともに、少ない電力供給でエラー情報を何度でも書き換えることができるため、複数回にわたり使用できる。
【００３６】
また、電気機器関連情報は、ナビゲータ本体２のエラー情報であることで、例えばナビゲータ本体２が故障した場合等において、出力されたエラー情報を紙等に書き写したりすることなく、表示されたエラー情報に基づいてエラー状況を正確に伝達することができるとともに、ナビゲータ本体２を持ち出さなくても、表示されたエラー情報だけを持ち出すことができるため、修理依頼等が容易になる。
【実施例２】
【００３７】
次に、実施例２に係る情報表示媒体につき、図７を参照して説明する。尚、前記実施例と同一構成で重複する構成を省略する。図７は、本発明の実施例２におけるメモリボードを備えた電子レンジの全体像を示す斜視図である。
【００３８】
実施例２の本発明における情報表示媒体としてのメモリボード２５は、図７に示すように、本発明における電気機器の本体としての電子レンジ２６の右側面に形成されたスロット２７に差し込み可能となっている。また、この電子レンジ２６の正面側の右部には、電子レンジ２６で使用可能な機能を使用者が選択する操作部２８が設けられている。そして、操作部２８とスロット２７間には、電子レンジ２６の正面側と連通する開口２９が形成されており、この開口２９には無色透明な樹脂等で構成された透過パネル３０が嵌め込まれている。
【００３９】
このため、スロット２７に差し込まれたメモリボード２５の表示部３１は使用者から視認可能となっている。更に、本実施例におけるメモリボード２５は、コネクタ３２によって電子レンジ２６と接続されており、通常使用時において、電子レンジ２６の操作部２８の表示部として機能するようになっており、使用者が操作部２８を操作する度に表示が書き換えられるようになっている。
【００４０】
尚、電子レンジ２６でエラーが発生し、メモリボード２５の表示部３１にエラー情報が表示された後は、電子レンジ２６の右側面に設けられた排出ボタン３３を使用者が操作することで、スロット２７内に設けられた図示しないバネの作用によってメモリボード２５がスロット２７から排出されて本体から引き出せるようになっている。
【００４１】
このように構成された本実施例２におけるメモリボード２５にあっては、メモリボード２５は、表示部３１が使用者から視認可能となるように電子レンジ２６に設けられることで、表示部３１が電子レンジ２６に予め備えられた表示部として機能するだけでなく、必要に応じて表示部３１を本体から離脱して持ち出すことができる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例では、メモリボード１のコネクタ１６で、ナビゲータ本体２のコネクタ７から出力されたエラー情報が入力されるようになっていた、つまりナビゲータ本体２の基板１９とメモリボード１の基板１５とが基板対基板（ボードｔｏボード）接続されるようになっていたが、例えばナビゲータ本体２にエラー情報を電波によって発信する発信器を設け、メモリボード１に巻回したコイルで構成されたアンテナを設けることによって、発信器からの電波をメモリボード１のコイルによって受信し、表示部８にエラー情報を表示できるようにしてもよい。尚このとき、発信器から発信される電波によってアンテナで電磁誘導が生じるため、メモリボード１にバッテリを設けることなく電子ペーパー９を書き換えることができる。さらに、ケーブル等により有線接続されていてもよい。
【００４４】
また、前記実施例では、ナビゲーション制御部１７は、カーナビゲーションシステム内でエラーが発生した場合、エラー情報をメモリボード１に出力するか否かの選択を促すメッセージ及び選択ボタンを液晶表示器３に表示し、運転手または同乗者にタッチパネル２０の操作を促したが、カーナビゲーションシステム内でエラーが発生したら、無条件でエラー情報をメモリボード１に出力し、メモリボード１の表示部８に常に最新のエラー情報に更新表示されるようにしてもよい。
【００４５】
さらに、出力された電気機器情報は、ボード記憶部２３に更新記憶されてもよいし、複数の電気機器情報を履歴情報として記憶しておいてもよい。
【００４６】
また、前記実施例では、メモリボード１を備える電気機器としてカーナビゲーションシステムのナビゲータ本体２及び電子レンジ２６を例に説明したが、例えば録画再生装置や炊飯器や冷蔵庫等を含む家電製品等、種々の電気機器が含まれる。
【００４７】
また、前記実施例では、電子ペーパー９の表示方式を、帯電された白と黒の粒子が内包されているマイクロカプセル１４を封入した磁気泳動記憶層１２内に明電極によって所定の電圧をかけることで、マイクロカプセル１４内の粒子を移動させ、表示部８の書き換えを行うマイクロカプセル電気泳動方式として説明したが、半球ごとに白と黒に塗り分けられた球形微粒子に電圧をかけることで、球形微粒子を回転させて表示部８の書き換えを行うツイストボール方式等、表示部８の表示情報を電力の消費無しに保持できるものであれば、電子ペーパー９の表示方式は問わない。
【図面の簡単な説明】
【００４８】
【図１】実施例１におけるメモリボードを備えたカーナビゲータ本体の全体像を示す斜視図である。
【図２】メモリボードを示す正面図である。
【図３】図２におけるＡ−Ａ断面図である。
【図４】カーナビゲータ本体及びメモリボードの構成を示すブロック図である。
【図５】表示画面にエラーの発生が表示された状態を示すカーナビゲータ本体の正面図である。
【図６】変形例としての表示画面を示すカーナビゲータ本体の正面図である。
【図７】実施例２におけるメモリボードを備えた電子レンジの全体像を示す斜視図である。
【符号の説明】
【００４９】
１                メモリボード
２                ナビゲータ本体
６                スロット
６ａ              凹部
７                コネクタ
８                表示部
９                電子ペーパー
１６              コネクタ
１７              ナビゲーション制御部
１８              ナビゲーション記憶部
２３              ボード記憶部
２４              ボード制御部
２５              メモリボード
２６              電子レンジ
３１              表示部
【図１】
2010026071.tif 000003
【図２】
2010026071.tif 000004
【図３】
2010026071.tif 000005
【図４】
2010026071.tif 000006
【図５】
2010026071.tif 000007
【図６】
2010026071.tif 000008
【図７】
2010026071.tif 000009